(57)【要約】【課題】平面計画の自由度を確保しつつもより高い制振性能を備えることが可能な鉄骨階段及び鉄骨階段の施工方法を提供する。【解決手段】上階床と下階床との間に設けられた鉄骨階段であって、前記上階床と前記下階床とのうちの一方に固定された一方階段部、及び、前記一方階段部と、前記上階床と前記下階床とのうちの他方と、を接続する制振ユニット、を備え、前記制振ユニットは、前記一方階段部に固定された第１接合部材と、前記他方に固定された第２接合部材と、前記第１接合部材と前記第２接合部材との間に設けられた制振部材と、を備えている。【選択図】図８
2020029734.tif 000002
【特許請求の範囲】
【請求項１】
上階床と下階床との間に設けられた鉄骨階段であって、
前記上階床と前記下階床とのうちの一方に固定された一方階段部、及び、
前記一方階段部と、前記上階床と前記下階床とのうちの他方と、を接続する制振ユニット、
を備え、
前記制振ユニットは、
前記一方階段部に固定された第１接合部材と、
前記他方に固定された第２接合部材と、
前記第１接合部材と前記第２接合部材との間に設けられた制振部材と、
を備えていることを特徴とする鉄骨階段。
【請求項２】
請求項１に記載の鉄骨階段であって、
前記第２接合部材は、前記一方階段部と異なる他方階段部を介して前記他方に固定されており、
前記制振ユニットは、前記一方階段部と、前記他方階段部との間に位置する踊り場に設けられていることを特徴とする鉄骨階段。
【請求項３】
請求項１または請求項２に記載の鉄骨階段であって、
前記第１接合部材は、前記一方階段部が備える一方踏板材の下方に配置される第１制振部材支持部を備え、
前記第２接合部材は、前記一方踏板材の下方に配置され、前記第１制振部材支持部と対面する第２制振部材支持部を備え、
前記第１制振部材支持部と前記第２制振部材支持部との間に前記制振部材が設けられていることを特徴とする鉄骨階段。
【請求項４】
請求項３に記載の鉄骨階段であって、
前記第１制振部材支持部と前記第２制振部材支持部とのうちの一方は、間隔を隔てて対面する一対の外板をなし、
前記第１制振部材支持部と前記第２制振部材支持部とのうちの他方は、前記一対の外板の間に介在される中板をなし、
前記一対の外板の各々と前記中板との間に前記制振部材が設けられていることを特徴とする鉄骨階段。
【請求項５】
請求項１に記載の鉄骨階段の施工方法であって、
前記上階床及び前記下階床を施工する躯体施工ステップと、
前記一方階段部を製造する階段部製造ステップと、
前記第１接合部材と前記第２接合部材との間に前記制振部材を介在させて前記制振ユニットを製造する制振ユニット製造ステップと、
前記上階床と前記下階床とのうちの一方に前記一方階段部を固定する階段部固定ステップと、
前記一方階段部に前記第１接合部材を固定し、前記上階床と前記下階床とのうちの前記他方に前記第２接合部材を固定する制振ユニット固定ステップと、
を有することを特徴とする鉄骨階段の施工方法。
【請求項６】
請求項２に記載の鉄骨階段の施工方法であって、
前記上階床及び前記下階床を施工する躯体施工ステップと、
前記一方階段部及び前記他方階段部を製造する階段部製造ステップと、
前記第１接合部材と前記第２接合部材との間に前記制振部材を介在させて前記制振ユニットを製造する制振ユニット製造ステップと、
前記上階床と前記下階床とのうちの一方に前記一方階段部を固定し、前記上階床と前記下階床とのうちの他方に前記他方階段部を固定する階段部固定ステップと、
前記一方階段部に前記第１接合部材を固定し、前記他方階段部に前記第２接合部材を固定する制振ユニット固定ステップと、
を有することを特徴とする鉄骨階段の施工方法。
【発明の詳細な説明】
【技術分野】
【０００１】
本発明は、鉄骨階段及び鉄骨階段の施工方法に関する。
【背景技術】
【０００２】
建物の風居住性や耐震性を向上させるために、建物の柱梁躯体の左右の柱と上下の梁で囲まれたフレーム内において、一端が上下の梁の一方に支持され他端が他方の梁方向に伸びるブレースを設け、 該ブレースの他端と他方の梁との間にダンパーを介在させて上下の梁の相対水平 変位によってダンパーを作動させて制振する構造が知られている（例えば、特許文献１参照）。
【先行技術文献】
【特許文献】
【０００３】
【特許文献１】特開２０１０―２８１１７１号公報
【発明の概要】
【発明が解決しようとする課題】
【０００４】
上記のような制振構造では、柱と上下の梁で囲まれたフレーム内に、ダンパーと軸剛性が高いブレースとを直列に繋いだ部材を設ける必要がある。このため、ダンパーを設ける位置は、平面計画と調整する必要があり、設計において意匠的、設備的な制約が生じ、制約が厳しい場合には、十分な制振部材を設けることができないという課題がある。
【０００５】
本発明は、このような事情に鑑みてなされたものであり、平面計画の自由度を確保しつつもより高い制振性能を備えることが可能な鉄骨階段及び鉄骨階段の施工方法を提供することを目的とする。
【課題を解決するための手段】
【０００６】
かかる目的を達成するために本発明の鉄骨階段は、
上階床と下階床との間に設けられた鉄骨階段であって、
前記上階床と前記下階床とのうちの一方に固定された一方階段部と、
前記一方階段部と、前記上階床と前記下階床とのうちの他方とを接続する制振ユニットと、
を備え、
前記制振ユニットは、
前記一方階段部に固定された第１接合部材と、
前記他方に固定された第２接合部材と、
前記第１接合部材と前記第２接合部材との間に設けられた制振部材と、
を備えていることを特徴とする鉄骨階段である。
【０００７】
このような鉄骨階段によれば、上階床と下階床とのうちの一方に固定された一方階段部と、上階床と下階床とのうちの他方とが制振ユニットにより接続されているので、上階床と下階床とに生じる相対変位を制振ユニットにより吸収させて制振することが可能である。また、制振ユニットは、一方階段部の上階床側または下階床側に配置されているので、建物の構面に備える必要がなく、平面計画に対する制約が発生しない。このため、平面計画の自由度を確保しつつもより高い制振性能を備えることが可能である。
【０００８】
また、制振ユニットは、階段部に固定される第１接合部材と、上階床と下階床とのうちの他方に固定される第２接合部材との間に制振部材が設けられている構成なので、一方階段部に第１接合部材を固定し、上階床と下階床とのうちの他方に第２接合部材を固定することにより、一方階段部の上階床側または下階床側に制振ユニットを容易に備えることが可能である。
【０００９】
かかる鉄骨階段であって、
前記第２接合部材は、前記一方階段部と異なる他方階段部を介して前記他方に固定されており、
前記制振ユニットは、前記一方階段部と、前記他方階段部との間に位置する踊り場に設けられていることを特徴とする。
【００１０】
このような鉄骨階段によれば、上階床と下階床とのうちの一方に固定された一方階段部と、上階床と下階床とのうちの他方に固定された他方階段部とが制振ユニットにより接続されているので、上階床と下階床とに生じる相対変位を制振ユニットにより吸収させて制振することが可能である。また、制振ユニットは踊り場に配置されているので、建物の構面に備える必要がなく、平面計画に対する制約が発生しない。このため、平面計画の自由度を確保しつつもより高い制振性能を備えることが可能である。
【００１１】
また、制振ユニットは、一方階段部に固定される第１接合部材と、他方階段部に固定される第２接合部材との間に制振部材が設けられている構成なので、一方階段部に第１接合部材を固定し、他方階段部に第２接合部材を固定することにより、踊り場に容易に備えることが可能である。
【００１２】
かかる鉄骨階段であって、
前記第１接合部材は、前記一方階段部が備える一方踏板材の下方に配置される第１制振部材支持部を備え、
前記第２接合部材は、前記一方踏板材の下方に配置され、前記第１制振部材支持部と対面する第２制振部材支持部を備え、
前記第１制振部材支持部と前記第２制振部材支持部との間に前記制振部材が設けられている。
【００１３】
このような鉄骨階段によれば、第１接合部材が備える第１制振部材支持部及び第２接合部材が備える第２制振部材支持部は、いずれも一方踏板材の下方にて対面して設けられているので、第１接合部材と第２接合部材とが単に隣接している場合よりも、互いに対面する領域を広く設けることが可能である。また、制振部材は、第１制振部材支持部と第２制振部材支持部との間に設けられているので、より広い領域において制振部材を作用させることが可能である。このため、より高い制振性能を備えることが可能である。
【００１４】
かかる鉄骨階段であって、
前記第１制振部材支持部と前記第２制振部材支持部とのうちの一方は、上下方向に間隔を隔てて対面する一対の外板をなし、
前記第１制振部材支持部と前記第２制振部材支持部とのうちの他方は、前記一対の外板の間に介在される中板をなし、
前記一対の外板の各々と前記中板との間に前記制振部材が設けられていることを特徴とする。
【００１５】
このような鉄骨階段によれば、第１制振部材支持部と第２制振部材支持部とのうちの一方がなす一対の外板の各々と、第１制振部材支持部と第２制振部材支持部とのうちの他方がなす中板との間にそれぞれ制振部材が設けられているので、中板の両面において制振部材を作用させることが可能である。このため、更に高い制振性能を備えることが可能である。
【００１６】
また、上記鉄骨階段の施工方法であって、
前記上階床及び前記下階床を施工する躯体施工ステップと、
前記一方階段部を製造する階段部製造ステップと、
前記第１接合部材と前記第２接合部材との間に前記制振部材を介在させて前記制振ユニットを製造する制振ユニット製造ステップと、
前記上階床と前記下階床とのうちの一方に前記一方階段部を固定する階段部固定ステップと、
前記一方階段部に前記第１接合部材を固定し、前記上階床と前記下階床とのうちの前記他方に前記第２接合部材を固定する制振ユニット固定ステップと、
を有することを特徴とする鉄骨階段の施工方法である。
【００１７】
このような鉄骨階段の施工方法によれば、上階床及び下階床と、一方階段部と、制振ユニットと、は別々のステップにて各々製造されるので、各々専門の作業者等により精度良く製造することが可能である。また、制振ユニットを予め工場等で製造するため、施工現場において制振ユニットを製造する必要がない。このため、現場での作業を削減して工期を短縮することが可能である。また、上階床及び下階床を含む建物躯体のある施工現場に、一方階段部と、制振ユニットと、を搬入し、上階床と下階床とのうちの一方に一方階段部を固定するとともに一方階段部に第１接合部材を固定し、上階床と下階床とのうちの他方に第２接合部材を固定することにより、高い制振性能を備えた鉄骨階段を建物躯体に設けることが可能である。
【００１８】
また、上記鉄骨階段の施工方法であって、
前記上階床及び前記下階床を施工する躯体施工ステップと、
前記一方階段部及び前記他方階段部を製造する階段部製造ステップと、
前記第１接合部材と前記第２接合部材との間に前記制振部材を介在させて前記制振ユニットを製造する制振ユニット製造ステップと、
前記上階床と前記下階床とのうちの一方に前記一方階段部を固定し、前記上階床と前記下階床とのうちの他方に前記他方階段部を固定する階段部固定ステップと、
前記一方階段部に前記第１接合部材を固定し、前記他方階段部に前記第２接合部材を固定する制振ユニット固定ステップと、
を有することを特徴とする鉄骨階段の施工方法である。
【００１９】
このような鉄骨階段の施工方法によれば、上階床及び下階床と、一方階段部及び他方階段部と、制振ユニットと、は別々のステップにて各々製造されるので、各々専門の作業者等により精度良く製造することが可能である。また、制振ユニットを予め工場等で製造するため、施工現場において制振ユニットを製造する必要がない。このため、現場での作業を削減して工期を短縮することが可能である。また、上階床及び下階床を含む建物躯体のある施工現場に、一方階段部及び他方階段部と、制振ユニットと、を搬入し、上階床と下階床とのうちの一方に一方階段部を固定するとともに当該一方階段部に第１接合部材を固定し、上階床と下階床とのうちの他方に他方階段部を固定するとともに当該他方階段部に第２接合部材を固定することにより、高い制振性能を備えた鉄骨階段を建物躯体に設けることが可能である。
【発明の効果】
【００２０】
本発明によれば、平面計画の自由度を確保しつつもより高い制振性能を備えることが可能な鉄骨階段及び鉄骨階段の施工方法を提供することが可能である。
【図面の簡単な説明】
【００２１】
【図１】第１実施形態に係る鉄骨階段を示す模式図である。
【図２】第１実施形態に係る鉄骨階段を示す平面図である。
【図３】第１実施形態に係る鉄骨階段の構成を説明するための模式図である。
【図４】第１実施形態に係る鉄骨階段の構成を説明するための縦断面図である。
【図５】第１実施形態に係る制振ユニットの構成を示す模式図である。
【図６】本発明に係る鉄骨階段の施工方法を示す図である。
【図７】第２実施形態に係る鉄骨階段を示す模式図である。
【図８】第２実施形態に係る鉄骨階段の構成を説明するための縦断面図である。
【図９】第２実施形態に係る制振ユニットの構成を示す模式図である。
【発明を実施するための形態】
【００２２】
以下、本発明の鉄骨階段を、図を用いて説明する。
本実施形態では、複数の階床を備える鉄骨造の建物の階床間に設けられている鉄骨階段を例に挙げて説明する。
【００２３】
第１実施形態の鉄骨階段１は、図１〜図３に示すように、上下に位置する２つの階床１０ａ、１０ｂ間に設けられており、上に位置する上階床１０ａに固定されている上階床階段部２と、下に位置する下階床１０ｂに固定されている下階床階段部３と、踊り場４に設けられ上階床階段部２と下階床階段部３とを接続する制振ユニット５と、を有している。
【００２４】
鉄骨階段１は、上階床１０ａと下階床１０ｂとのうちの一方である上階床１０ａに固定された一方階段部としての上階床階段部２と、上階床１０ａと下階床１０ｂとのうちの他方である下階床１０ｂに固定された他方階段部としての下階床階段部３とが、それらの間に位置する踊り場４にて折り返す構造をなしており、踊り場４の下方にて上階床階段部２と下階床階段部３とが制振ユニット５により接続されている。すなわち、制振ユニット５は、上階床階段部２と異なる下階床階段部３を介して、上階床１０ａと下階床１０ｂとのうちの他方である下階床１０ｂに固定されている。
【００２５】
上階床階段部２は、複数の段板でなる踏み面を有する上階段本体２０と、上階段本体２０の幅方向における両端に設けられている上桁２１と、上階段本体２０が有する最下段の蹴上の下端と繋がった、一方踏板材としての上踊場踏板材２２と、を有している。上桁２１は、上階段本体２０の側部から上踊場踏板材２２の側部まで繋がっており、上踊場踏板材２２の側部では上踊場踏板材２２よりも下方に延出された上桁垂壁部２３を有している。
【００２６】
下階床階段部３は、複数の段板でなる踏み面を有する下階段本体３０と、下階段本体３０の幅方向における両端に設けられている下桁３１と、下階段本体３０が有する最上段をなす踊り場４の下踊場踏板材３２と、を有している。下桁３１は、下階段本体３０の側部から下踊場踏板材３２の側部まで繋がっており、下踊場踏板材３２の側部では下踊場踏板材３２よりも下方に延出された下桁垂壁部３３を有している。
【００２７】
上踊場踏板材２２と下踊場踏板材３２とは、階段の往来方向と交差する階段の幅方向に並べられて踊り場４をなすように配置されている。すなわち、上階床階段部２を下ってきたときに踊り場４において上階床階段部２の先に広がる領域を上踊場踏板材２２が被い、下階床階段部３を上ってきたときに踊り場４において下階床階段部３の先に広がる領域を下踊場踏板材３２が被っている。上踊場踏板材２２と下踊場踏板材３２とは、直接繋がることなく、上階床階段部２及び下階床階段部３の幅方向（以下、単に幅方向という）に隣り合って並べられて踊り場４の床面をなしている。
【００２８】
踊り場４の下方には、建物躯体１０をなす柱梁架構において下階床１０ｂを構成する大梁１０ｃから繋がった受け梁１０ｄが、幅方向に沿って２本設けられている。受け梁１０ｄは、幅方向と直交する、上階床階段部２と下階床階段部３の往来方向（以下、単に往来方向という）に間隔を隔てて踊り場４の両端側に設けられている。
【００２９】
各受け梁１０ｄの上面には、板状の踏板材支持部１１が上方に突出させて設けられている。踏板材支持部１１は、受け梁１０ｄと直交する方向に板面が沿い、上方に設けられている上踊場踏板材２２の上桁垂壁部２３または下踊場踏板材３２の下桁垂壁部３３と隣接して対面する位置に設けられている。上桁垂壁部２３または下桁垂壁部３３は、隣接する踏板材支持部１１と各々ボルト・ナットにより接合されている。
【００３０】
踏板材支持部１１には、図１に示すように、ボルトが挿通され水平方向に長い長孔１１ａが設けられており、上桁垂壁部２３を備える上階床階段部２及び下桁垂壁部３３を備える下階床階段部３は、受け梁１０ｄが設けられている建物躯体１０と水平方向に相対移動可能に構成されている。
【００３１】
制振ユニット５は、上踊場踏板材２２及び下踊場踏板材３２と受け梁１０ｄとの間に設けられている。
制振ユニット５は、図３〜図５に示すように、上階床階段部２の上踊場踏板材２２の側部から垂設されている上桁垂壁部２３と繋がる第１接合部材５０と、下階床階段部３の下踊場踏板材３２の側部から垂設されている下桁垂壁部３３と繋がる第２接合部材５１と、第１接合部材５０と第２接合部材５１との間に介在される制振部材としての粘弾性体５２と、を有している。
【００３２】
第１接合部材５０は、上踊場踏板材２２と下踊場踏板材３２とが並べられた踊り場４のほぼ全領域の広さを備える平板状の第１制振部材支持部５０ａと、第１制振部材支持部５０ａの幅方向における上階床階段部２側の端部と中央近傍とに設けられ、上方に延出されて上桁垂壁部２３と接合される第１端部接合片５０ｂ及び第１中央接合片５０ｃと、を有している。
【００３３】
第１端部接合片５０ｂ及び第１中央接合片５０ｃは、上方に延出されている板状の部材であり、板面が往来方向に沿うように設けられている。第１制振部材支持部５０ａは、第１端部接合片５０ｂと第１中央接合片５０ｃとの間に位置する第１接合片間部位５０ｄと、第１中央接合片５０ｃよりも、第１端部接合片５０ｂとは反対側に張り出している第１張り出し部位５０ｅと、を有している。
【００３４】
第２接合部材５１は、上踊場踏板材２２と下踊場踏板材３２とが並べられた踊り場４のほぼ全領域の広さを備える平板状をなす２枚の第２制振部材支持部５１ａと、第２制振部材支持部５１ａの幅方向における下階床階段部３側の端部と中央近傍とに設けられ上方に延出され下桁垂壁部３３と接合される第２端部接合片５１ｂ及び第２中央接合片５１ｃと、を有している。２枚の第２制振部材支持部５１ａは、上下方向に間隔を隔てて対面しており、第２端部接合片５１ｂ及び第２中央接合片５１ｃにより上下方向の間隔が隔てられている。図５において、上側の第２制振部材支持部５１ａに設けられている第２端部接合片５１ｂ及び第２中央接合片５１ｃと、下側の第２制振部材支持部５１ａに設けられている第２端部接合片５１ｂ及び第２中央接合片５１ｃとは、単一の部材である。
【００３５】
第２端部接合片５１ｂ及び第２中央接合片５１ｃは、上方に延出されている板状の部材であり、板面が往来方向に沿うように設けられている。第２制振部材支持部５１ａは、第２端部接合片５１ｂと第２中央接合片５１ｃとの間に位置する第２接合片間部位５１ｄと、第２中央接合片５１ｃよりも、第２端部接合片５１ｂとは反対側に張り出している第２張り出し部位５１ｅと、を有している。
【００３６】
第１制振部材支持部５０ａは、第２接合部材５１が有する２枚の第２制振部材支持部５１ａ間に挿入されている。このとき、第１制振部材支持部５０ａ及び２枚の第２制振部材支持部５１ａには、受け梁１０ｄの上面に設けられた踏板材支持部１１、第１中央接合片５０ｃ、及び、第２中央接合片５１ｃが挿通され、往来方向に長いスリット５０ｆ、５１ｆが、設けられている。スリット５０ｆ、５１ｆは、幅方向における中央近傍であって、往来方向において上階床階段部２及び下階床階段部３側（以下、単に階段部側という）と、その反対側（以下、単に反階段部側という）とにそれぞれ２つずつ設けられている。
【００３７】
階段部側と反階段部側とにそれぞれ設けられた２つのスリット５０ｆ、５１ｆは、幅方向に間隔を隔てて設けられており、制振ユニット５の状態では、幅方向において上階床階段部２側のスリット５０ｆ、５１ｆには、第１制振部材支持部５０ａと繋がった第１中央接合片５０ｃが挿通されており、下階床階段部３側のスリット５０ｆ、５１ｆには、２枚の第２制振部材支持部５１ａと繋がった第２中央接合片５１ｃが挿通されている。
【００３８】
第１制振部材支持部５０ａが２枚の第２制振部材支持部５１ａ間に挿入されている状態では、第１接合片間部位５０ｄの上下に２枚の第２制振部材支持部５１ａの第２張り出し部位５１ｅが位置し、第１張り出し部位５０ｅの上下に２枚の第２制振部材支持部５１ａの第２接合片間部位５１ｄが位置している。
【００３９】
２枚の第２制振部材支持部５１ａ間に挿入された第１制振部材支持部５０ａの上面と、上側の第２制振部材支持部５１ａとは、板状の粘弾性体５２を介して接合されており、第１制振部材支持部５０ａの下面と、下側の第２制振部材支持部５１ａとは、板状の粘弾性体５２を介して接合されている。
【００４０】
制振ユニット５は、幅方向における上階床階段部２側の端部に、第１制振部材支持部５０ａと繋がった第１端部接合片５０ｂが位置しており、幅方向における下階床階段部３側の端部に、第２制振部材支持部５１ａと繋がった第２端部接合片５１ｂが位置している。また、中央近傍に設けられているスリット５０ｆ、５１ｆからは、第１中央接合片５０ｃ及び第２中央接合片５１ｃが上方に突出している。
【００４１】
制振ユニット５は、幅方向において踊り場４の端部側に位置して上桁垂壁部２３及び下桁垂壁部３３と接合されている踏板材支持部１１の間に配置されている。このため、受け梁１０ｄの幅方向において中央側に設けられている４つの踏板材支持部１１は、第１制振部材支持部５０ａ及び第２制振部材支持部５１ａに設けられているスリット５０ｆ、５１ｆに挿通されている。
【００４２】
内側に上階段本体２０が設けられている一対の上桁垂壁部２３は、外側に当接された踏板材支持部１１と水平方向に相対移動可能に接合されており、内側に制振ユニット５の第１端部接合片５０ｂと第１中央接合片５０ｃとが固定されている。内側に下階段本体３０が設けられている一対の下桁垂壁部３３は、外側に当接された踏板材支持部１１と水平方向に相対移動可能に接合されており、内側に制振ユニット５の第２端部接合片５１ｂと第２中央接合片５１ｃとが固定されている。
【００４３】
鉄骨階段１は、鉄骨階段１が備えられている階床１０ａ、１０ｂ間に、風や地震等により層間変位が生じると、上階床１０ａと繋がった上階床階段部２の上踊場踏板材２２、上桁垂壁部２３、第１端部接合片５０ｂ及び第１中央接合片５０ｃを介して繋がった第１制振部材支持部５０ａと、下階床１０ｂと繋がった下階床階段部３の下踊場踏板材３２、下桁垂壁部３３、第２端部接合片５１ｂ及び第２中央接合片５１ｃを介して繋がった第２制振部材支持部５１ａとが相対変位することにより、第１制振部材支持部５０ａと第２制振部材支持部５１ａの間に設けられている粘弾性体５２により振動エネルギーが吸収される。
【００４４】
第１実施形態の鉄骨階段１によれば、上階床１０ａに固定された上階床階段部２と、下階床１０ｂに固定された下階床階段部３とが制振ユニット５により接続されているので、上階床１０ａと下階床１０ｂとに生じる相対変位を制振ユニット５により吸収させて制振することが可能である。また、制振ユニット５は踊り場４の下方に配置されているので、建物の構面に備える必要がなく、平面計画に対する制約が発生しない。このため、平面計画の自由度を確保しつつもより高い制振性能を備えることが可能である。
【００４５】
また、制振ユニット５は、上階床階段部２に固定される第１接合部材５０と、下階床階段部３に固定される第２接合部材５１との間に粘弾性体５２が設けられている構成なので、上階床階段部２に第１接合部材５０を固定し、下階床階段部３に第２接合部材５１を固定することにより、制振ユニット５を踊り場４に容易に備えることが可能である。
【００４６】
また、第１接合部材５０が備える第１制振部材支持部５０ａ及び第２接合部材５１が備える第２制振部材支持部５１ａは、いずれも上踊場踏板材２２及び下踊場踏板材３２の下方にて上下方向に対面して設けられているので、第１接合部材５０と第２接合部材５１とが幅方向において単に隣接している場合よりも、互いに対面する領域を広く設けることが可能である。また、粘弾性体５２は、第１制振部材支持部５０ａと第２制振部材支持部５１ａとの間に設けられているので、より広い領域において粘弾性体５２を作用させることが可能である。このため、より高い制振性能を備えることが可能である。
【００４７】
また、２枚の第２制振部材支持部５１ａがなす一対の外板の各々と、第１制振部材支持部５０ａがなす中板との間にそれぞれ粘弾性体５２が設けられているので、中板の両面において粘弾性体５２を作用させることが可能である。このため、更に高い制振性能を備えることが可能である。
【００４８】
第１実施形態の鉄骨階段１が備える制振ユニット５は、第１制振部材支持部５０ａ及び第２制振部材支持部５１ａのほぼ全域が対面して粘弾性体５２が設けられている例について説明したが、これに限るものではない。例えば、上踊場踏板材２２または下踊場踏板材３２のいずれかの下方またはそれらの一部において、第１制振部材支持部５０ａ及び第２制振部材支持部５１ａが対面している部位に粘弾性体５２が設けられていてもよい。また、第１接合部材５０と第２接合部材５１とが対面する部位は、水平面に限らず、鉛直面であっても、上踊場踏板材２２または下踊場踏板材３２の下方に配置されていれば構わない。
【００４９】
第１実施形態の鉄骨階段１の施工方法は、図６に示すように、まず、上階床階段部２及び下階床階段部３を各々工場等により製造し（階段部製造ステップＳ１）、第１接合部材５０と第２接合部材５１との間に粘弾性体５２を備えた制振ユニット５を工場等により製造する（制振ユニット製造ステップＳ２）。
【００５０】
次に、上階床階段部２、下階床階段部３、及び、制振ユニット５を、上階床１０ａ及び下階床１０ｂを備える建物躯体１０を施工した（躯体施工ステップＳ３）施工現場に搬入する。
【００５１】
次に、搬入された上階床階段部２を上階床１０ａに、下階床階段部３を下階床１０ｂに、それぞれ固定するとともに、上桁垂壁部２３及び下桁垂壁部３３を建物躯体１０に固定されている踏板材支持部１１に水平方向に移動可能に接合する（階段部固定ステップＳ４）。
【００５２】
次に、制振ユニット５の第１端部接合片５０ｂ及び第１中央接合片５０ｃを上桁垂壁部２３に固定し、第２端部接合片５１ｂ及び第２中央接合片５１ｃを下桁垂壁部３３に固定して（制振ユニット固定ステップＳ５）、鉄骨階段１が完成する。
【００５３】
第１実施形態の鉄骨階段１の施工方法によれば、上階床１０ａ及び下階床１０ｂを備える建物躯体１０と、上階床階段部２及び下階床階段部３と、第１接合部材５０と第２接合部材５１との間に粘弾性体５２が設けられている制振ユニット５と、は別々のステップにて各々製造されるので、各々専門の作業者等により精度良く製造することが可能である。また、建物躯体１０のある施工現場に上階床階段部２及び下階床階段部３と、制振ユニット５と、を搬入し、上階床１０ａに上階床階段部２を固定するとともに上階床階段部２に第１接合部材５０を固定し、下階床１０ｂに下階床階段部３を固定するとともに下階床階段部３に第２接合部材５１を固定することにより、高い制振性能を備えた鉄骨階段１を建物躯体に設けることが可能である。
【００５４】
上記第１実施形態においては、上階床階段部２と下階床階段部３とが踊り場４にて接続されて折り返す構造の鉄骨階段１を例に挙げて説明したが、これに限らず、図７に示すような、踊り場を備えない直線上に延びる鉄骨階段１００であっても構わない。
【００５５】
具体的には、上下方向に隣り合う２つの階床１０ａ、１０ｂ間に設けられている直線階段部１１０と、下階床１０ｂを構成する梁１０１との間に制振部材としての粘弾性体５２を備えた制振ユニット６が設けられている。基本的な構造は、第１実施形態の上階床階段部２と制振ユニット５を備えた踊り場４と同様である。
【００５６】
第２実施形態における鉄骨階段１００は、上階床１０ａと下階床１０ｂとのうちの一方である上階床１０ａに固定された一方階段部としての直線階段部１１０と、上階床１０ａと下階床１０ｂとのうちの他方である下階床１０ｂを構成する梁１０１とを接続する制振ユニット６と、を備えている。すなわち、第２実施形態の鉄骨階段１００は、制振ユニット６が設けられる位置が、第１実施形態のように踊り場４の上踊場踏板材２２及び下踊場踏板材３２の下方ではなく、直線階段部１１０が備える一方踏板材としての階段踏板材１１３の下方である。
【００５７】
第２実施形態の直線階段部１１０は、複数の段板でなる踏み面を有する階段本体１１１と、階段本体１１１の幅方向における両端に設けられている桁１１２と、階段本体１１１が有する最下段の蹴上の下端と繋がった下階床１０ｂの階段踏板材１１３と、を有している。桁１１２は、階段本体１１１の側部から下階床１０ｂ側の階段踏板材１１３の側部まで繋がっており、階段踏板材１１３の側部では下方に延出された桁垂壁部１１４を有している。
【００５８】
桁垂壁部１１４は、下階床１０ｂを構成する梁１０１の上面に、上方に突出させて設けられている踏板材支持部１１と、第１実施形態と同様に、ボルト・ナットにより水平方向に相対移動可能に接合されている。
【００５９】
制振ユニット６は、図８、図９に示すように、桁垂壁部１１４と繋がる第１接合部材１１５と、下階床１０ｂの梁１０１と繋がる第２接合部材１１６と、第１接合部材１１５と第２接合部材１１６との間に介在される粘弾性体５２と、を有している。
【００６０】
第１接合部材１１５は、桁１１２の幅にて直線階段部１１０から繋がる階段踏板材１１３のほぼ全領域の広さを備える平板状をなす２枚の第１制振部材支持部１１５ａと、第１制振部材支持部１１５ａの幅方向における両端に設けられ上方に延出され桁垂壁部１１４と接合される第１接合片１１５ｂと、を有している。２枚の第１制振部材支持部１１５ａは、上下方向に間隔を隔てて対面しており、四隅近傍に設けられた第１端部接合片１１５ｂにより上下方向の間隔が保たれている。
【００６１】
第２接合部材１１６は、第１制振部材支持部１１５ａのほぼ全領域の広さを備える平板状の第２制振部材支持部１１６ａと、第２制振部材支持部１１６ａの幅方向における両端部に設けられ下方に延出され下階床１０ｂの梁１０１と接合される第２接合片１１６ｂと、を有している。図９において、上側の第１制振部材支持部１１５ａに設けられている第１接合片１１５ｂと、下側の第１制振部材支持部１１５ａに設けられている第１接合片１１５ｂとは、単一の部材である。
【００６２】
第２制振部材支持部１１６ａは、２枚の第１制振部材支持部１１５ａ間に挿入されている。このとき、下側の第１制振部材支持部１１５ａには、第２制振部材支持部１１６ａから垂設された第２接合片１１６ｂが挿通されるスリット１１５ｃが設けられている。ここで、第１制振部材支持部１１５ａが外板に相当し、第２制振部材支持部１１６ａが中板に相当する。
【００６３】
第２制振部材支持部１１６ａが２枚の第１制振部材支持部１１５ａ間に挿入されている状態では、２枚の第１制振部材支持部１１５ａと第２制振部材支持部１１６ａとがほぼ全領域で対面している。２枚の第１制振部材支持部１１５ａ間に挿入された第２制振部材支持部１１６ａの上面と、上側の第１制振部材支持部１１５ａとは、板状の粘弾性体５２を介して接合されており、第２制振部材支持部１１６ａの下面と、下側の第１制振部材支持部１１５ａとは、板状の粘弾性体５２を介して接合されている。
【００６４】
制振ユニット６は、図７、図８に示すように、幅方向において梁１０１上に設けられている踏板材支持部１１の間に配置されている。内側に階段本体１１１が設けられている一対の桁垂壁部１１４は、外側に当接された踏板材支持部１１と水平方向に相対移動可能に接合されており、内側に制振ユニット６の第１接合片１１５ｂと固定されている。第２接合部材１１６の第２接合片１１６ｂは、梁１０１に固定されている。
【００６５】
鉄骨階段１００は、鉄骨階段１００が備えられている階床間に、風や地震等により層間変位が生じると、上階床１０ａと繋がった直線階段部１１０の階段踏板材１１３、桁垂壁部１１４、第１接合片１５ｂを介して繋がった第１制振部材支持部１１５ａと、下階床１０ｂの梁１０１と第２接合片１６ｂにより繋がった第２制振部材支持部１１６ａと、が相対変位することにより、第１制振部材支持部１１５ａと第２制振部材支持部１１６ａの間に設けられている粘弾性体５２により振動エネルギーが吸収される。
【００６６】
第２実施形態の鉄骨階段１００によれば、上階床１０ａに固定された直線階段部１１０と、下階床１０ｂとが制振ユニット６により接続されているので、上階床１０ａと下階床１０ｂとに生じる相対変位を制振ユニット６により吸収させて制振することが可能である。また、制振ユニット６は下階床１０ｂに配置されているので、建物の構面に備える必要がなく、平面計画に対する制約が発生しない。このため、平面計画の自由度を確保しつつもより高い制振性能を備えることが可能である。
【００６７】
また、制振ユニット６は、直線階段部１１０に固定される第１接合部材１１５と、下階床１０ｂを構成する梁１０１に固定される第２接合部材１１６との間に粘弾性体５２が設けられている構成なので、直線階段部１１０に第１接合部材１１５を固定し、下階床１０ｂを構成する梁１０１に第２接合部材１１６を固定することにより、下階床１０ｂに容易に備えることが可能である。
【００６８】
第２実施形態の鉄骨階段１００の施工方法は、図６に示す第一実施形態の施工方法と同様に、まず、直線階段部１１０を工場等により製造し（階段部製造ステップＳ１）、第１接合部材１１５と第２接合部材１１６との間に粘弾性体５２を備えた制振ユニット６を工場等により製造する（制振ユニット製造ステップＳ２）。
【００６９】
次に、直線階段部１１０、及び、制振ユニット６を、上階床１０ａ及び下階床１０ｂを備える建物躯体１０を施工した（躯体施工ステップＳ３）施工現場に搬入する。
【００７０】
次に、搬入された直線階段部１１０を上階床１０ａに固定するとともに、桁垂壁部１１４を、建物躯体１０をなす梁１０１に固定されている踏板材支持部１１に水平方向に移動可能に接合する（階段部固定ステップＳ４）。
【００７１】
次に、制振ユニット６の第１接合片１１５ｂを桁垂壁部１１４に固定し、第２接合片１１６ｂを梁１０１に固定して（制振ユニット固定ステップＳ５）、鉄骨階段１００が完成する。
【００７２】
このような鉄骨階段１００の施工方法によれば、上階床１０ａ及び下階床１０ｂを備える建物躯体１０と、直線階段部１１０と、制振ユニット６と、は別々のステップにて各々製造されるので、各々専門の業者等により精度良く製造することが可能である。また、建物躯体１０のある施工現場に直線階段部１１０と、制振ユニット６と、を搬入し、上階床１０ａに階段部を固定するとともに直線階段部１１０に第１接合部材１１５を固定し、下階床１０ｂに第２接合部材１１６を固定することにより、高い制振性能を備えた鉄骨階段１００を建物躯体１０に設けることが可能である。
【００７３】
第２実施形態の鉄骨階段１００は、上階床１０ａに固定された階段部１１０と下階床１０ｂとの間に制振ユニット６が設けられている例について説明したが、これに限らず、下階床に固定された階段部と上階床との間に粘弾性体が設けられていても構わない。
【００７４】
上記実施形態においては、第１接合部材５０、１１５が有する第１制振部材支持部５０ａ、１１５ａ及び第２接合部材５１、１１６が有する第２制振部材支持部５０ａ、１１６ａのいずれか一方が２枚設けられており、他方が間に介在されている例について説明したが、これに限らず、第１制振部材支持部及び第２制振部材支持部が各々１枚ずつであっても、また、その他の構成であっても、対面する第１制振部材支持部と第２制振部材支持部との間に制振部材が設けられていれば構わない。
【００７５】
また、上記実施形態においては、制振部材として粘弾性体５２を用いる例について説明したが、これに限るものではない。例えば、第１制振部材支持部と第２制振部材支持部との間に摩擦板と滑り板とを備えた摩擦ダンパーが設けられている構成であっても構わない。
【００７６】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７７】
１  鉄骨階段、２  上階床階段部（一方階段部）、３  下階床階段部(他方階段部)、
４  踊り場、５  制振ユニット、  ６  制振ユニット、１０ａ  上階床(一方)、
１０ｂ  下階床（他方）、２２  上踊場踏板材(一方踏板材)、３２  下踊場踏板材、
５０  第１接合部材、５０ａ  第１制振部材支持部材（中板）、５１  第２接合部材、
５１ａ  第２制振部材支持部材(外板)、５２  粘弾性体（制振部材）、
１００  鉄骨階段、１１０  直線階段部（一方階段部）、
１１３  階段踏板材(一方踏板部)、１１５  第１接合部材、
１１５ａ  第１制振部材支持部材（外板）、１１６  第２接合部材、
１１６ａ  第２制振部材支持部材（中板）、
【図１】
2020029734.tif 000003
【図２】
2020029734.tif 000004
【図３】
2020029734.tif 000005
【図４】
2020029734.tif 000006
【図５】
2020029734.tif 000007
【図６】
2020029734.tif 000008
【図７】
2020029734.tif 000009
【図８】
2020029734.tif 000010
【図９】
2020029734.tif 000011